(57)【要約】【課題】　アンバランスウエイトを駆動するモータの動作適正化を図る。【解決手段】　上タンク１と下タンク２と賞球排出機構１７とからなる賞球払出系統に設けられている賞球検出スイッチ８および上タンクスイッチ３を、下タンク２での球詰まりを解消するためのバイブレータ装置４の駆動および停止を制御するための下流側検出手段および上流側検出手段として利用し、バイブレータ装置４の設けられた下タンク２の上流側に遊技球が存在するにも拘わらず、下流側に遊技球が存在しない場合に、判定手段が球詰まりの発生を判定し、振動開始手段がバイブレータ装置４を所定時間振動させ、遊技が実行されているときで、必要な時に、バイブレータ装置４を制御して、球詰まりを解消する。【選択図】　　　　図１
2004041810.tif 000002
【特許請求の範囲】
【請求項１】
　内枠の裏面に、補給系統から供給される遊技球を貯める上タンクと、上タンクから供給される遊技球を自重で流通させる通路を形成する下タンクと、下タンクから供給される遊技球を賞球通路を経由してカウントスプロケットで受け取る賞球排出機構とを設け、賞球通路における上部の球有り球無しを検出する賞球検出スイッチと上タンクまたは下タンクの球有り球無しを検出するタンクスイッチとの間における下タンクの外側面に、モータによるアンバランスウエイトの偏心回転運動で振動を発生するバイブレータ装置を設け、賞球検出スイッチを下流側検出手段とし、タンクスイッチを上流側検出手段とし、上流側検出手段および下流側検出手段からの上流側および下流側球検出信号により下タンクの内部における球詰まりの発生を判定する判定手段と、この判定手段からの球詰まりの発生の判定によりバイブレータ装置のモータを所定時間回転駆動してバイブレータ装置を振動させる振動開始手段とを備えたことを特徴とするパチンコ機の球詰まり解消装置。
【請求項２】
　モータの回転駆動開始後における下流側球検出信号により球詰まりの解消を判定し球詰まりが解消した場合にモータの回転駆動を所定時間以前に強制的に停止する振動停止手段を備えたことを特徴とする請求項１に記載のパチンコ機の球詰まり解消装置。
【請求項３】
　モータの所定時間の回転駆動後に下流側検出信号により球詰まりの解消を判定し球詰まりが解消しない場合に異常信号を発生する異常通知手段を備えたことを特徴とする請求項１、２のいずれかに記載のパチンコ機の球詰まり解消装置。
【請求項４】
　入賞球の有無を検出し入賞球有りの場合に判定手段の判定動作を実行する判定動作実行手段を備えたことを特徴とする請求項１記載のパチンコ機の球詰まり解消装置。
【請求項５】
　モータを駆動するドライブ回路が、モータとパワートランジスタとの間に直列に接続された正特性の温度依存性を有する抵抗体としてのポジスタと、モータと並列に接続されてパワートランジスタのオフ動作時にモータに誘発される逆方向の電流をモータに回生するフライホイールダイオードとを備えたことを特徴とする請求項１記載のパチンコ機の球詰まり解消装置。
【発明の詳細な説明】
【技術分野】
【０００１】
　この発明は、例えばパチンコ機、アレパチ機、アレンジボール機などと称呼されるパチンコ機における球詰まりを解消する装置に関する。
【０００２】
　特に、アンバランスウエイトを駆動するモータの動作適正化を図るものである。
【背景技術】
【０００３】
　従来、パチンコ機の中には、賞球装置のタンクと賞球通路との間に存在する接続部に開口を形成し、正常時は開口を解消板で塞いでおき、球詰まりが発生すると、解消板を電磁ソレノイドで揺動することにより、球詰まりを解消する球詰まり解消装置が知られている。
【特許文献１】実公平２−２１５号公報
【発明の開示】
【発明が解決しようとする課題】
【０００４】
　この従来の球詰まり解消装置では、解消板が賞球通路の一部を構成していることから、解消板や電磁ソレノイドの組み付けが面倒であるうえ、賞球通路の解消板との合わせ部分に段差や隙間が発生しやすく、段差や隙間が発生すると、球の流れが悪くなり、球詰まりが発生しやすくなる不都合がある。
【０００５】
　ところで、島からパチンコ機に遊技球を補給する装置の中には、例えば特開平６３−３８８６号公報、実公平３−２３１号公報、実開昭４８−１０５８５号公報および実開昭６１−１２４６８２号公報などに開示されているように、島の樋、または樋からパチンコ機の上タンク上方まで延びた補給パイプに、電磁ソレノイドで振動や衝撃を与えることで、樋や補給パイプでの球詰まりを解消する球詰まり解消装置が知られている。
【０００６】
　しかし、この補給系統のように電磁ソレノイドを、パチンコ機の球詰まり解消装置の振動源として採用することも考えられるけれども、その場合には球詰まり解消に最適な、振幅が小さくて振動数が高い、所謂、高周波振動を発生することが困難であるばかりでなく、衝撃音が発生し、遊技者に不快感を与える可能性があるので、にわかに採用しがたいものである。
【課題を解決するための手段】
【０００７】
　本発明に係るパチンコ機の球詰まり解消装置は、内枠の裏面に、補給系統から供給される遊技球を貯める上タンクと、上タンクから供給される遊技球を自重で流通させる通路を形成する下タンクと、下タンクから供給される遊技球を賞球通路を経由してカウントスプロケットで受け取る賞球排出機構とを設け、賞球通路における上部の球有り球無しを検出する賞球検出スイッチと上タンクまたは下タンクの球有り球無しを検出するタンクスイッチとの間における下タンクの外側面に、モータによるアンバランスウエイトの偏心回転運動で振動を発生するバイブレータ装置を設け、賞球検出スイッチを下流側検出手段とし、タンクスイッチを上流側検出手段とし、上流側検出手段および下流側検出手段からの上流側および下流側球検出信号により下タンクの内部における球詰まりの発生を判定する判定手段と、この判定手段からの球詰まりの発生の判定によりバイブレータ装置のモータを所定時間回転駆動してバイブレータ装置を振動させる振動開始手段とを備えたことを最も主要な特徴とする。モータの回転駆動開始後における下流側球検出信号により球詰まりの解消を判定し球詰まりが解消した場合にモータの回転駆動を所定時間以前に強制的に停止する振動停止手段を備えたり、モータの所定時間の回転駆動後に下流側検出信号により球詰まりの解消を判定し球詰まりが解消しない場合に異常信号を発生する異常通知手段を備えたり、入賞球の有無を検出し入賞球有りの場合に判定手段の判定動作を実行する判定動作実行手段を備えたり、モータを駆動するドライブ回路が、モータとパワートランジスタとの間に直列に接続された正特性の温度依存性を有する抵抗体としてのポジスタと、モータと並列に接続されてパワートランジスタのオフ動作時にモータに誘発される逆方向の電流をモータに回生するフライホイールダイオードとを備えたりすることも特徴とする。
【発明の効果】
【０００８】
　本発明に係るパチンコ機の球詰まり解消装置は、次のような効果がある。
　上タンクと下タンクと賞球排出機構とからなる賞球払出系統に設けられている賞球検出スイッチおよびタンクスイッチを、下タンクでの球詰まりを解消するためのバイブレータ装置の駆動および停止を制御するための下流側検出手段および上流側検出手段として利用し、バイブレータ装置の設けられた下タンクの上流側に遊技球が存在するにも拘わらず、下流側に遊技球が存在しない場合に、球詰まりが発生したと判定して、バイブレータ装置を所定時間振動させるから、遊技が実行されているときで、必要な時に、バイブレータ装置を自動制御して、球詰まりを自動的に解消することができるという利点がある。振動停止手段がモータの回転駆動開始後における下流側球検出信号により球詰まりの解消を判定し球詰まりが解消した場合にモータの回転駆動を所定時間以前に強制的に停止すれば、バイブレータ装置の振動開始により球詰まりが解消したら、当該バイブレータ装置の振動を所定時間にならなくても停止するというように、必要な時間だけバイブレータ装置を駆動し、無駄な電力消費を抑えるとともに、バイブレータ装置を保護して、球詰まりを自動的に解消することができるという利点がある。異常通知手段がモータの所定時間の回転駆動後に下流側検出信号により球詰まりの解消を判定し球詰まりが解消しない場合に異常信号を発生すれば、バイブレータ装置の所定時間の振動でも球詰まりが解消しない場合には、バイブレータ装置の振動を停止して異常信号を発生するというように、無駄な電力消費を抑えるとともに、バイブレータ装置を保護することができ、球詰まり解消の保守点検を促すという利点がある。判定動作実行手段が入賞球の有無を検出し入賞球有りの場合に判定手段の判定動作を実行すれば、遊技が実行されている状態で、入賞球が存在するときで、バイブレータ装置を設置した賞球通路の上流側に賞球が存在するにも拘わらず、下流側に賞球が存在しない場合に、バイブレータ装置を所定時間振動させるから、賞球払い出しが必要な時のみに、バイブレータ装置を自動制御して、球詰まりを自動的に解消することができるという利点がある。モータを駆動するドライブ回路が、モータとパワートランジスタとの間に直列に接続された正特性の温度依存性を有する抵抗体としてのポジスタと、モータと並列に接続されてパワートランジスタのオフ動作時にモータに誘発される逆方向の電流をモータに回生するフライホイールダイオードとを備えれば、ポジスタがモータの回転部のロッキングなど異常発生に伴う温度上昇による抵抗値の急激な上昇によりモータへの電流供給を強制的に遮断して、モータの焼損を未然に防止することができる一方、フライホイールダイオードがパワートランジスタのオフ動作時にモータに誘発される逆方向の電流をモータに回生して電気雑音の発生を抑制するとともにエネルギ効率を高めることができるという利点がある。
【発明を実施するための最良の形態】
【０００９】
　この発明の実施形態を図面とともに同一部分に同一符号を付して説明する。
　図１は第１実施形態としてのパチンコ機の背面図、図２は第１実施形態のバイブレータ装置を下タンクに取り付けた状態を示す斜視図、図３は図２の取り付け状態を分解して示す斜視図、図４は第１実施形態のマウントベースのモータ取り付け側面の詳細を示す斜視図、図５は図２に示すＡ−Ａ線断面図、図６は図２に示すＢ−Ｂ線断面図、図７は第１実施形態の球詰まり解消装置の電気回路を示すブロック図、図８および図９は第１実施形態のフローチャート、図１０は第２実施形態のパチンコ機の正面図である。
【００１０】
　図１において、１は上タンク、２は下タンク、３は上タンク１の内部に賞球が存在するか否かをリミットスイッチのような接触で検出して電気信号を後述する制御装置１１に出力する上流側検出手段としての上タンクスイッチ、４は下タンク２における賞球の詰まりやすい個所で下タンク２の外側面に取り付けられたバイブレータ装置であって、このバイブレータ装置４はモータ５の出力軸にアンバランスウエイト６を一体回転可能に固定し、モータ５およびアンバランスウエイト６を後述するケースで被覆した状態に形成してあり、モータ５を回転駆動すると、アンバランスウエイト６の重心がモータ５の出力軸の周囲に旋回し、このアンバランスウエイト６の偏心回転運動により、例えば、市販されている電動歯ブラシに生じるような、高周波振動を発生し、この発生した振動がモータ５からケースを経由して下タンク２に伝達し、賞球通路の内部で球詰まりを発生した複数の賞球を小刻みに振動させ、賞球相互のかみ合いを解消し、以て、球詰まりを解消する。
【００１１】
　７は下タンク２の排出口に連接して賞球を一列の完全な整列状態で一時的に貯めておく賞球通路、８は賞球通路７の上部において内部に賞球が存在するか否かをフォトセンサのような非接触で検出して電気信号を制御装置１１に出力する賞球検出スイッチ、９は入賞球通路、１０は入賞球通路９の内部に入賞球が存在するか否かを非接触で検出して電気信号を制御装置１１に出力する入賞球検出スイッチである。
【００１２】
　上記制御装置１１は端子ボックス１２に設けられた電源スイッチ１３の投入で起動することにより、予め設定されたプログラムにしたがって動作するマイクロコンピュータからなり、パチンコ機の遊技を予め設定された遊技状況となるように制御する遊技制御機能に加え、とりわけ、上タンクスイッチ３および賞球検出スイッチ８からの賞球検出信号、入賞球検出スイッチ１０からの入賞球検出信号を受け取ることにより、入賞が発生したときで、バイブレータ装置４の上流および下流に賞球が存在するか否かで、下タンク２に球詰まりが発生したか否かを判定し、球詰まりが発生した場合にはバイブレータ装置４にドライブ信号を出力してモータ５を例えば１０秒などの所定時間だけ回転駆動することにより、バイブレータ装置４に高周波振動を発生させる一方、そのバイブレータ装置４の振動動作開始直後から所定時間の振動動作終了までの間継続して、上記球詰まりが解消したか否かを判定し、振動動作開始直後に球詰まりが解消した場合はバイブレータ装置４の振動動作を所定時間にならなくてもそのまま停止し、球詰まりが解消しない場合はそのままバイブレータ装置４の振動動作を所定時間継続し、所定時間後に球詰まりが解消していない場合はバイブレータ装置４の振動動作を停止するとともにエラー信号を発生して球詰まりを遊技者や店員に報知する。
【００１３】
　１４は内枠、１５は内枠１４の裏面に取り付けられた遊技板収容枠であって、この遊技板収容枠１５の裏面にはタンクセット１６、賞球排出機構１７、遊技板収容枠１５より裏面側に突出する図外の役物の背部およびその駆動回路などを被覆するリヤカバー１８、上記制御装置１１および流しセット５２を取り付けてある。
【００１４】
　上記タンクセット１６は遊技板収容枠１５の裏面に図外のねじで固定されたセットベースに、上タンクスイッチ３を有する上タンク１、バイブレータ装置４を有する下タンク２、端子ボックス１２を組み付けたユニットを構成している。
【００１５】
　上タンク１は、図外の店内のホールコンピュータからの指示で島の補給系統から供給された多数の遊技球を賞球として貯めておくとともに、その貯めた賞球を下タンク２の内部の賞球の消費に伴い下タンク２の内部に順次供給する。
【００１６】
　下タンク２は、その内部で多数の賞球が賞球の自重で図１の左側の上流から右側の下流に向けて転がる過程において、先ず、相互に重なり合った賞球を上下に重なるものの上から見て一列に整列し、次に、上に乗った賞球を下の列の賞球間に誘導して上から見ても裏側から見ても一列となる、完全な一列に多数の賞球を整列して賞球排出機構１７の賞球通路７に順次排出する。
【００１７】
　賞球排出機構１７は賞球通路７、下流側検出手段としての賞球検出スイッチ８、入賞球通路９、入賞球検出手段としての入賞球検出スイッチ１０、賞球通路７の下部に設けられたカウントスプロケット１９、カウントスプロケット１９の部分で賞球通路７より下方左側に延設された排出通路２０、カウントスプロケット１９の部分で賞球通路７より下方に分岐された球抜き通路２１を備え、賞球通路７が下タンク２から排出された賞球を完全な一列の整列状態のまま賞球の自重で下方に向けて左右に蛇行しつつ流下させ、その流下される最下部の賞球をカウントスプロケット１９で受け止めることにより、賞球通路７から下タンク２までに多数の賞球を完全な一列の整列状態に貯めておき、入賞球検出スイッチ１０からの入賞球検出信号が制御装置１１に出力され、制御装置１１が賞球排出信号を賞球排出機構１７に出力すると、賞球排出機構１７中の図外のスプロケットストッパがカウントスプロケット１９のロックを解除し、賞球を賞球通路７から排出通路２０を経由して内枠１４の前面に設けられた図外の上皿セットに払い出す。
【００１８】
　上記賞球の払い出し過程において、賞球排出機構１７中の図外の賞球計数検出スイッチがカウントスプロケット１９の回転に伴い払い出される賞球数をカウントして電気信号を制御装置１１に出力し、そのカウント値が予め決められた払い出し個数に一致した時点で、制御装置１１が払い出し停止信号を賞球排出機構１７に出力すると、スプロケットストッパがカウントスプロケット１９をロックし、所定数の賞球の払い出しを終了する。
【００１９】
　また、上タンク１からカウントスプロケット１９の間にある賞球を全て抜き取る場合には、通路を排出通路２０から球抜き通路２１に切り換え、これにより賞球をパチンコ機外へ全て排出する。上記端子ボックス１２は店内の図外のホールコンピュータとの間で制御装置１１に遊技情報、入賞球数、払い出し賞球数および打ち止めなどの各種信号をやり取りするための入出力端子を内蔵している。
【００２０】
　制御装置１１はエラー表示器２２およびリセットボタン２３を備え、エラー表示器２２は制御装置１１が発生する異常信号に応じた各種のエラーモード図柄を表示し、リセットボタン２３は人為的にオン動作されることによりエラー表示器２２のエラーモード図柄の表示動作を停止するとともに制御装置１１の異常停止動作を通常の遊技可能な状態に復帰する。
【００２１】
　図２において、下タンク２は賞球の流下を促す底面２４、底面２４の裏側縁より上方に立ち上げられた図５に示す裏壁４８、底面２４の表側縁より上方に立ち上げられた前壁２５、裏壁４８および前壁２５の上縁に跨がって装着された下タンクカバー２６とで形成された整列誘導通路２７を備え、この整列誘導通路２７の高さは左側から右側に行くにしたがって徐々に低くなる状態で、その最も低い高さは１個の賞球の直径以上からその直径の２倍未満までの寸法になっており、整列誘導通路２７の横幅（裏壁４８と前壁２５との対向間隔）は１個の賞球を通過させるように１個の賞球の直径とほぼ同一の寸法になっていて、整列誘導通路２７が図５に示すように下タンク２の内部で相互に重なり合った賞球を上下に重なるものの上から見て一列に整列する部分を構成し、この下タンク２の前壁２５の前面には下タンク２の内部における賞球の流下方向に沿う方向に相対峙する一対の係合部２８を一体に突設し、それらの係合部２８の互いに対向する内面には前壁２５との間で形成される縦溝２９を有し、これらの縦溝２９は互いに対向する方向および上下方向に開口し、これらの縦溝２９にその上方よりバイブレータ装置４の左右端部を挿入することで、下タンク２の特定個所の外側面にバイブレータ装置４を取り付けてある。
【００２２】
　図３において、バイブレータ装置４の前述したケースはモータ５の軸方向に沿う方向で分割された２つの分割ケースからなり、その一方の分割ケースは合成樹脂からなるマウントカバー３０であって、このマウントカバー３０は前方に開口された収容空間３１、収容空間３１の内部に半円弧状に突出形成されたセンタ支持部３２、収容空間３１の周壁に形成された切り込み３３、収容空間３１の開口縁より突出形成された凸部３４、収容空間３１の内部に形成された下穴３５を樹脂成形により一体に有する。
【００２３】
　また、他方の分割ケースは合成樹脂からなるマウントベース３６であって、これはマウントカバー３０側の面に突出形成されたセンタ支持部３７およびフロント軸受け支持部３８、その反対側面に突出形成されたストッパ３９、マウントカバー３０の凸部３４に対応して形成された凹部４０、マウントカバー３０の下穴３５に対応して形成された皿穴４１を樹脂成形により一体に有する。
【００２４】
　モータ５のケーシングの中央部の外周面には弾性を有する緩衝材からなるスペーサ４２をマウントベース３６側に位置して半円弧状に接着してある。
【００２５】
　このモータ５をマウントカバー３０およびマウントベース３６で被覆するには、例えば、スペーサ４２の外周面の中央部がマウントベース３６のセンタ支持部３７の半円弧面に接触するように、モータ５のケーシングの中央部をセンタ支持部３７の半円弧面の上に搭載するとともに、モータ５の前部の軸受け５ｂの外周面をフロント軸受け支持部３８の半円弧面の上に搭載した後に、モータ５のリード線５ａを切り込み３３に取り込んで収容空間３１からマウントカバー３０の外部に引き出すように、しかも収容空間３１の内部にモータ５を収容するように、マウントカバー３０をマウントベース３６に被せ、マウントカバー３０の凸部３４をマウントベース３６の凹部４０に挿入し、マウントカバー３０とマウントベース３６とを位置合わせした後に、マウントベース３６の皿穴４１よりマウントカバー３０の下穴３５に図外の皿頭を有するタッピングねじのようなねじを締結する。
【００２６】
　この締結により、モータ５を収容して密封空間に形成された収容空間３１の内部において、マウントベース３６のセンタ支持部３７がスペーサ４２を圧縮するように弾性変形させ、そのスペーサ４２の復元力でマウントカバー３０のセンタ支持部３２がモータ５のスペーサ４２を設けられていないケーシングの外周面を密接状態に受け止めるとともに、フロント軸受け支持部３８がモータ５の底部を密接状態に受け止め、結果として、ケースの成形時にモータ５との間の寸法精度を高精度にしなくても、ケースとモータ５との隙間をスペーサ４２で吸収するので、一体に結合されたマウントカバー３０とマウントベース３６とからなるケースの内部にモータ５をがたつくことなどのないように固定できる。
【００２７】
　この状態においてリード線５ａによりバイブレータ装置４の外部からモータ５に電力を供給すると、モータ５の軸受け５ｂより突出する出力軸５ｃに一体回転可能に結合されたアンバランスウエイト６が収容空間３１の内部でマウントカバー３０およびマウントベース３６に干渉することなく偏心回転運動を行って高周波振動を発生し、その発生された高周波振動がスペーサ４２、センタ支持部３２，３７およびフロント軸受け支持部３８を経由してマウントカバー３０およびマウントベース３６に効率よく伝達でき、その振動発生中において、モータ５がスペーサ４２を介してケース内にがたつくことのないように固定されているので、モータ５のケーシングや軸受け５ｂなどの固定部がセンタ支持部３２，３７およびフロント軸受け支持部３８に小刻みに当接することがなく、衝撃音が発生することも阻止できる。
【００２８】
　また、図３において、４３はマウントベース３６のストッパ３９と対応して下タンク２の前壁２５の上縁に切欠形成されたストッパ受け、４４は下タンク２の整列誘導通路２７の内部に侵入した埃やねじなどの異物を整列誘導通路２７から外部に排出するために下タンク２の底面２４と前壁２５との連接部に形成された長孔、４５は弾性を有する緩衝体である。
【００２９】
　この緩衝体４５はバイブレータ装置４を下タンク２に取り付ける以前において係合部２８の間に位置する前壁２５の表面に接着させておき、マウントベース３６のマウントカバー３０よりモータ５の軸心方向外側に突出する左右両端部を下タンク２の縦溝２９に挿入する過程において、マウントベース３６で緩衝体４５を下タンク２の前壁２５との間で圧縮するように弾性変形させ、その緩衝体４５の復元力でマウントベース３６を下タンク２の前壁２５の外側の方向に押圧して、マウントベース３６の左右両端部を係合部２８にがたつくことのないように密接状態に支持固定できる。
【００３０】
　この緩衝体４５をバイブレータ装置４の下タンク２への取り付け以前において前壁２５の表面に接着しておく理由は、緩衝体４５をマウントベース３６に接着した状態でマウントベース３６を縦溝２９に挿入すると、その挿入開始時点で、緩衝体４５が前壁２５の上縁に引っ掛かったり擦過を受けて剥離しやすい不都合が発生したが、第１実施形態のように、バイブレータ装置４の下タンク２への取り付けに先駆けて、緩衝体４５を下タンク２に接着しておくことで、上記不都合を解消できるからである。
【００３１】
　上記マウントベース３６に設けたストッパ３９は、マウントベース３６の左右両端部を下タンク２の縦溝２９に上方より挿入した際に、下タンク２のストッパ受け４３に収容されて当接し、バイブレータ装置４の下タンク２への上下方向の取り付け位置を確保できる。
【００３２】
　このストッパ３９がストッパ受け４３に当接した後において、下タンクカバー２６を下タンク２に装着することにより、下タンクカバー２６がストッパ３９を前壁２５とでサンドイッチ状態に挟持され、結果として、ストッパ３９がストッパ受け４３に固定され、バイブレータ装置４が下タンク２の外側面にがたつくことなく極めて簡単な嵌合作業で適切に組み付けられ、そのバイブレータ装置４の取り付けを安定することができ、上記バイブレータ装置４の振動がマウントベース３６から係合部２８や緩衝体４５を経由して下タンク２に効率よく伝達する。
【００３３】
　また、上記スペーサ４２および緩衝体４５は多数の独立気泡を有するウレタンや合成樹脂またはゴムなどのような弾性体で、例えば東レ（株）製のペフと称呼される弾性体で構成したことで、モータ５がその回転駆動中に収容空間３１の内部でがたつくことがなく、バイブレータ装置４が下タンク２との間でがたつくこともないので、衝撃音が発生することを適切に阻止できる。
【００３４】
　図４において、マウントベース３６のモータ５側の面には上記センタ支持部３７、フロント軸受け支持部３８に加えて、モータ５の底部の周縁に形成された複数の切欠部５ｄの一つに挿入されてモータ５のケーシングを回転しないように支持する回り止め部４６、および回り止め部４６よりモータ５のリード線５ａと干渉しないように突出してモータ５の底部の軸受け５ｅの概ね１／４外周縁を支持するリヤ軸受け支持部４７を突出形成してある。
【００３５】
　図５において、下タンク２の裏壁４８は図１に示すタンクセット１６のセットベースを介して遊技板収容枠１５の表面に配置され、この裏壁４８と対向する前壁２５の外側面にはバイブレータ装置４が緩衝体４５を介して取り付けられていることから、バイブレータ装置４が長孔４４を塞ぐことはなく、長孔４４の埃や異物などの排出機能が確保できる。
【００３６】
　図６において、マウントカバー３０には、上記センタ支持部３２に加えて、モータ５の軸受け５ｂの外周面を受け止めたフロント軸受け支持部４９、モータ５の軸受け５ｅを受け止めたリヤ軸受け支持部５０、モータ５の上記とは別の一つの図４に示す切欠部５ｆに挿入された回り止め部５１を形成してある。
【００３７】
　図７において、５６は前述の制御装置１１に内蔵されたＣＰＵであって、これはパチンコ機の遊技を予め設定された遊技状況となるように制御する遊技制御機能に加え、図８と図９に示すフローチャートにしたがって動作する球詰まり解消の制御手段を構成する判定手段５６ａ、振動開始手段５６ｂ、振動停止手段５６ｃ、異常通知手段５６ｄ、判定動作実行手段５６ｅを有しており、上タンクスイッチ３、賞球検出スイッチ８および入賞球検出スイッチ１０からの検出信号をインターフェース回路５３，５４，５５で個別に信号のレベル調整を行って入力ポート５６ｆ，５６ｇ，５６ｈで個別に受信し、それらの受信信号により入賞および球詰まり発生時に、１０秒などのような所定時間、出力ポート５６ｉから動作電流をモータ５のドライブ回路５７を構成するパワートランジスタ５８のベースに供給してパワートランジスタ５８をオン動作することにより、モータ電源Ｖｃｃより動作電流をモータ５に供給してモータ５を回転駆動する。
【００３８】
　上記ドライブ回路５７はモータ５とパワートランジスタ５８との間に正特性の温度依存性を有する抵抗体としてのポジスタ５９（負特性の温度依存性の抵抗体を構成するサーミスタとは逆の温度依存性の有る抵抗体）を直列に接続し、ポジスタ５９がモータ５の回転部のロッキングなど異常発生に伴う温度上昇による抵抗値の急激な上昇によりモータ５への電流供給を強制的に遮断して、モータ５の焼損やモータ５を覆う合成樹脂製のマウントカバー３０やマウントベース３６およびスペーサ４２の熱的な変形劣化を未然に防止する。
【００３９】
　また、ドライブ回路５７はモータ５と並列にフライホイールダイオード６０を接続し、フライホイールダイオード６０がパワートランジスタ５８のオフ動作時にモータ５に誘発される逆方向の電流をモータ５に回生することにより、電気雑音の発生を抑制するとともに、エネルギ効率を高めることができる。
【００４０】
　上記ＣＰＵ５６の出力ポート５６ｊはインターフェース回路６１を介してエラー表示器２２、パチンコ機または島に設けられたブザーなどのような発音器６２、パチンコ機に設けられたランプ風車やサイドランプなどのような発光器６３に異常信号を出力し、ＣＰＵ５６が球詰まり発生に伴うバイブレータ装置４の所定時間の振動動作終了後においても球詰まりの解消していないときに、それを表現する予め設定された例えば「Ｅ５」などのようなエラーモード図柄をエラー表示器２２に表示するとともに、発音器６２を鳴らしたり、発光器６３を通常とは異なる状態に点滅して、バイブレータ装置４の振動では球詰まりが解消できないことを遊技者や店員に知らせ、球詰まりに対する保守点検を迅速かつ適切に行わせることができる。
【００４１】
　したがって、第１実施形態によれば、図１に示す電源スイッチ１３の投入（オン動作）により制御装置１１が起動し、遊技が可能な状態になると、図８と図９に示す処理の実行を開始し、ＣＰＵ５６の入出力ポート５６ｆ〜５６ｊの入出力設定、制御装置１１中の図外のワークエリアＲＯＭのクリアおよびタイマへの所定の計測時間の設定などの初期化処理を行い、遊技者が図外の発射装置を操作して遊技球を内枠１４にその前面より視認可能に配置された図外の遊技板の遊技領域内に弾き、その遊技球が遊技板に設けられた図外の入賞口に入って入賞球となって入賞球通路９に導出されると、つまり、遊技が実行されている状態における遊技球の入賞に伴って、入賞球検出スイッチ１０が入賞球有検出信号を制御装置１１に出力すると、ＣＰＵ５６が入賞球有の判定を行って賞球検出タイマの計時動作を開始するとともに上タンクスイッチ３からの検出信号のオン・オフ状態を判定する（図８のステップ１０１〜１０４参照）。
【００４２】
　そして、上タンクスイッチ３がオフ状態である場合は上タンク１に賞球が無いことを意味するので、ＣＰＵ５６が上タンク１に賞球が存在しませんという完了処理をホールコンピュータに通知し、この完了処理通知を受け取ったホールコンピュータは当該完了処理通知を出力したパチンコ機が予め割り当てられた出玉数の賞球を払い出したことによる打ち止めか否かを判定し、打ち止めで無い場合は島の補給系統に補給指示を出力して島から上記完了処理通知を出力したパチンコ機の上タンク１に賞球を補給し、これとは逆に、打ち止めである場合は島の補給系統に補給指示を出力せず、上記完了処理通知を出力したパチンコ機の制御装置１１に賞球払い出し停止または発射装置の発射動作停止などの指示を行って、遊技者に打ち止めになったことを知らせる（図８のステップ１０５参照）。
【００４３】
　また、上タンクスイッチ３がオン状態である場合は上タンク１に賞球が有ることを意味するので、ＣＰＵ５６が賞球検出スイッチ８のオン状態の継続時間を賞球検出タイマによる計測時間を用いて計測し、その計測した賞球検出スイッチ８のオン状態の継続時間が例えば３秒のような予め設定された所定の賞球存在確認時間以上継続しているか否かを判定し、賞球検出スイッチ８からの検出信号のオン状態が賞球存在確認時間以上継続している場合は賞球通路７に賞球が存在することを意味するので、つまり、賞球がタンクセット１６から賞球排出機構１７まで正常に存在して球詰まりが発生していないことを意味するから、制御装置１１が賞球排出機構１７に賞球排出信号を出力する賞球払い出し処理を実行して賞球検出タイマの計時動作を停止するとともに計時記憶をクリアして、球詰まり解消処理の１サイクルを終了する（図８のステップ１０６〜１０８参照）。
【００４４】
　上記上タンクスイッチ３がオン状態であって、賞球検出スイッチ８がオフ状態か、または賞球検出スイッチ８のオン状態が賞球存在確認時間以上継続しない場合は、賞球がタンクセット１６に存在するものの、タンクセット１６から賞球排出機構１７に正常に供給されておらず、球詰まりが発生しているものと推定し、図９に示す球詰まり解消の処理を実行する。
【００４５】
　この球詰まり解消の処理においては、ＣＰＵ５６がモータ動作タイマの計時動作を開始するとともにモータ５を駆動した後に、賞球検出タイマによる計測時間を利用した賞球検出スイッチ８のオン状態の継続時間が賞球存在確認時間以上継続した場合は当該モータ５の駆動に伴い球詰まりが解消され、モータ５の駆動直後に賞球が下タンク２から賞球通路７に流下供給されたことを意味するので、ＣＰＵ５６が上記モータ５の駆動を停止し、モータ動作タイマの計時動作を停止するとともにその計時記憶をクリアして球詰まり解消処理の１サイクルを終了する（図９のステップ１０９〜１１４参照）。
【００４６】
　また、上記モータ５の駆動後においても、賞球検出スイッチ８がオフ状態か、または賞球検出スイッチ８のオン状態が賞球存在確認時間以上継続しない場合は、球詰まりが未だに解消されていないことを意味するので、モータ５の駆動をそのまま例えば１０秒のような所定時間継続し、所定時間が経過したときにモータ５の駆動を停止し、モータ動作タイマの計時動作を停止するとともにその計時記憶をクリアした後に、賞球検出スイッチ８のオン状態が賞球存在確認時間以上継続しているか否かを判定する（図９のステップ１１４〜１１７参照）。
【００４７】
　そして、賞球検出スイッチ８のオン状態が賞球存在確認時間以上継続した場合はモータ５の所定時間の駆動継続により球詰まりが解消されたことを意味するので、そのまま球詰まり解消処理の１サイクルを終了し、これとは逆に、賞球検出スイッチ８のオン状態が賞球存在確認時間以上継続しない場合はモータ５の所定時間の駆動継続によっても球詰まりが解消されないことを意味するので、球詰まりの原因が下タンク２の内部における多数の賞球相互間での接触過多やかみ合いなどのような単純なものではなく、球詰まりが下タンク２の内部へのねじなどのような異物混入などによる重大原因によるものである可能性が大きいものであり、モータ５をそれ以上回転駆動しても、球詰まりを振動で自動的に解消することができないものと推定し、無駄な電力消費を中止するとともに、モータ５を保護しつつ、遊技者に不快感を与えることのないように、モータ５の再駆動を行うことなく、ＣＰＵ５６が異常信号をエラー表示器２２、発音器６２および発光器６３に出力して異常発生の通知を行って、球詰まり解消処理の１サイクルを終了する（図９のステップ１１８参照）。
【００４８】
　なお、上記図８および図９に示すステップ１０２から１１８までの処理は電源スイッチ１３の投入後に、当該電源スイッチ１３が人為的にオフ動作されるまで、繰り返し実行される。
【００４９】
　要するに、第１実施形態によれば、上タンク１、上タンクスイッチ３、賞球通路７、賞球検出スイッチ８、入賞球通路９、入賞球検出スイッチ１０などの既存の機能部品をそのまま利用し、下タンク２の外側面にアンバランスウエイト６を有するモータ５の回転駆動によって高周波振動を発生するバイブレータ装置４を設置し、制御装置１１のマイクロコンピュータに図８および図９に示すフローチャートを実行するためのプログラムを書き込むことで、遊技者が遊技を実行しているときで、球詰まりが発生したときに、その球詰まりが解消するまで、または１０秒程度のような所定時間のうちの早い方の間だけ、バイブレータ装置４を駆動して振動を発生するように構成したので、タンクの内部における球の流れやすさを確保しつつ、衝撃音の発生も阻止し、遊技者に不快感を与えることなく、球詰まり解消に最適な高周波振動を発生して球詰まりを自動的に解消でき、品質信頼性を向上することができる。
【００５０】
　しかも、第１実施形態によれば、バイブレータ装置４を下タンク２の内部における球詰まりの発生しやすい特定部分である整列誘導通路２７の外側面に設置したから、高周波振動が球詰まりを起こした部分に効果的に直接作用し、結果として、モータ５に出力の小さな小形モータを使用することができるとともに、アンバランスウエイト６の重量も小さくすることができ、総体的に、低消費電力で静粛な球詰まり解消装置を提供することができる。
【００５１】
　第１実施形態の場合、球詰まり発生の有無判定を行う際に、図８のステップ１０６や図９のステップ１１０、ステップ１１７に示すように、賞球検出スイッチ８のオン状態が３秒程度のような賞球存在確認時間以上継続しているかということを用いたので、賞球検出スイッチ８のオン状態が成立したら即座に球詰まりが発生していないと判定する場合に比べて、球詰まり発生の有無判定を正確に行うことができる。
【００５２】
　第１実施形態では賞球供給装置の球詰まりを解消する例を図示して説明したが、図１０に示すように、上皿セット６５での球詰まりを解消する実施形態としても適用することができる。この図１０に示す第２実施形態では内枠１４の内周縁に金枠６６を前面（遊技状態での正面）より視認できしかも開閉可能に取り付け、この金枠６６の内部にガラス６７が嵌め殺しに装着されたガラス枠６８とこれの下部に位置する上皿セット６５とを開閉可能に取り付け、この上皿セット６５は横長な長方形の金属製のセットベース６９の前面に合成樹脂からなる上皿７０を突出するように組み付けてある。
【００５３】
　この上皿７０の上面には多数の遊技球を貯めておくタンク７１と、タンク７１より遊技球を一列の完全な整列状態で図外の発射装置の弾球作用部に排出する整列誘導通路７２とを有し、この整列誘導通路７２を形成する壁と上皿７０の外壁との間の内部空間において、整列誘導通路７２を形成する壁の外側面にバイブレータ装置４を設置してある。
【００５４】
　このバイブレータ装置４を設置する内部空間は上皿７０をセットベース６９に組み付ける前の状態では開放されていることから、上皿７０をセットベース６９に組み付ける前に、バイブレータ装置４を上皿７０の内部空間より整列誘導通路７２を形成する壁の外側面に取り付け、このバイブレータ装置４を取り付けた後に、上皿７０をセットベース６９に組み付ければよい。
【００５５】
　なお、図１０中の符号７３は内枠１４の前面下部に組み付けられた下皿セット、７４は発射装置のハンドルグリップである。
【図面の簡単な説明】
【００５６】
【図１】パチンコ機の背面図（第１実施形態）。
【図２】バイブレータ装置を下タンクに取り付けた斜視図（第１実施形態）。
【図３】バイブレータ装置と下タンクの分解斜視図（第１実施形態）。
【図４】マウントベースのモータ取り付け側面の斜視図（第１実施形態）。
【図５】図２のＡ−Ａ線断面図（第１実施形態）。
【図６】図２のＢ−Ｂ線断面図（第１実施形態）。
【図７】球詰まり解消装置の電気回路を示すブロック図（第１実施形態）。
【図８】フローチャート（第１実施形態）。
【図９】フローチャート（第１実施形態）。
【図１０】パチンコ機の正面図（第２実施形態）。
【符号の説明】
【００５７】
　２　下タンク
　３　上タンクスイッチ
　４　バイブレータ装置
　５　モータ
　６　アンバランスウエイト
　７　賞球通路
　８　賞球検出スイッチ
　９　入賞球通路
　１０　入賞球検出スイッチ
　１１　制御装置
　３０　マウントカバー（分割ケース）
　３２，３７　センタ支持部
　３６　マウントベース（分割ケース）
　３９　ストッパ
　４２　スペーサ
　４３　ストッパ受け
　４５　緩衝体
　４６，５１　回り止め部
　５６ａ　判定手段
　５６ｂ　振動開始手段
　５６ｃ　振動停止手段
　５６ｄ　異常通知手段
　５６ｅ　判定動作実行手段
　７０　上皿
　７２　整列誘導通路
【図１】
2004041810.tif 000003
【図２】
2004041810.tif 000004
【図３】
2004041810.tif 000005
【図４】
2004041810.tif 000006
【図５】
2004041810.tif 000007
【図６】
2004041810.tif 000008
【図７】
2004041810.tif 000009
【図８】
2004041810.tif 000010
【図９】
2004041810.tif 000011
【図１０】
2004041810.tif 000012